(57)【特許請求の範囲】
【請求項１】
断熱蓋を被蓋する断熱容器本体の開口外周部に合成樹脂製肩部材を配設し、断熱容器本体底部の外周部に合成樹脂製底部材を配設し、前記肩部材と底部材とに食器用ケースを着脱自在に装着してなる保温容器であって、
前記肩部材と底部材とのそれぞれの周部に外方に突出する食器用ケースを係合する装着用環状体を肩部材および底部材と一体に成形して設け、
肩部材と底部材に設けられた装着用環状体のうち、底部材に設けられた装着用環状体にのみ舌状弾性部を設け、
該舌状弾性部が、前記底部材の装着用環状体の断熱容器本体外周に当接する底部材壁に上方より下方に向けて平行な二つの切り欠き溝を設けることにより形成され、かつ上端に外反係止爪が設けられ、
前記装着用環状体に装着される食器ケースに、前記底部材の装着用環状体に配した舌状弾性部の係止爪の位置に合わせて、該係止爪に係止する係合部を形成し、
該係合部が、食器用ケースの両端側にそれぞれ設けられていることを特徴とする保温容器。
【請求項２】
底部材に配した装着用環状体に、水抜き孔を有する底板を配設してなることを特徴とする請求項１記載の保温容器。
【請求項３】
底部材に配した装着用環状体の底部の内壁に係止突起を配設してなることを特徴とする請求項１記載の保温容器。
【発明の詳細な説明】
【０００１】
【産業上の利用分野】
この発明は、調理済食品を食用に適した温度で保存できる保温容器に係り、特に箸、スプーンなどを収納する食器用ケースを備えた保温容器に関する。
【０００２】
【従来の技術】
近時、ピクニックやキャンプなどの野外レクレーション用の弁当箱として、携帯可能でかつ保温性能に優れた保温容器、いわゆるランチジャーなどが普及しつつある。
この種の保温容器は断熱層壁で形成された容器の内部に飯類や汁類などの調理済食品を収容し、かつその食品を適温で保温するものである。有底筒状の部材である外装ケースと、この外装ケースの上側にヒンジによって天蓋を有する筒状の蓋体が開閉自在に取り付けられており、そして上記外装ケースは、有底筒状の真空二重瓶よりなる断熱容器でなり又蓋体も断熱が施されている。そして断熱容器内には所望する保温すべき食品を収容する収納食器（飯器、汁器、菜器）が配されている。この収納食器の開口部には円盤状の中蓋が着脱自在に取り付けられており、この収納食器の中蓋の上方でかつ蓋体の内側に、惣菜類などを収容する小型の収納食器が適宜収容されるようになっている。
【０００３】
前記外装ケースの外周面には、上下方向に箸やスプーンなどを収納するための例えば摺動によって開閉自在の蓋部材を有する食器ケースが固定されている。そして実公平４−２５０９５号の保温容器では、容器本体の外周面の軸線上に沿った上と下に外方に突出する食器用ケースの装着用環状体が配設され、かつこれらの装着用環状体のうち少なくとも１つの装着用環状体の内面とこれに装着する上記食器用ケースの外面いずれか一方に係合部が設けられ、他方に被係合部が設けられている保温用器が開示されている。
【０００４】
【発明が解決しようとする課題】
上記のような保温器にあっては外装ケースの外周面から外方に突出するような状態で食器用ケースが固定されたものであるため、たとえばこの保温容器を肩紐などに用いて揺動状態で携帯した際に、携帯者の体側などに食器ケースが直接当ることがある。この場合、その衝撃により食器用ケースの蓋部材がはずれて、食器用ケース内の箸やスプーンなどが外部に飛び出したりするなどの問題点があった。
【０００５】
又、食器用ケースを保温容器本体の樹脂部材である装着用環状体に圧入嵌合する方法で単に圧入していて、嵌合が首尾良く終了したかどうかの嵌合感が得られなかった。又、同様に食器用ケース下部に係合突起を設け、底部材に突起物を設けた場合にも食器ケース嵌合装着時に首尾良くし得たかを「パチッ」という聴覚に訴える充分なクリック感を得ることができなかった。
【０００６】
【課題を解決するための手段】
本発明の保温容器は、断熱蓋を被蓋する断熱容器本体の開口外周部に合成樹脂製肩部材を配設し、断熱容器本体底部の外周部に合成樹脂製底部材を配設し、前記肩部材と底部材とに食器用ケースを着脱自在に装着してなる保温容器であって、前記肩部材と底部材とのそれぞれの周部に外方に突出する食器用ケースを係合する装着用環状体を肩部材および底部材と一体に成形して設け、肩部材と底部材に設けられた装着用環状体のうち、底部材に設けられた装着用環状体にのみ舌状弾性部を設け、該舌状弾性部が、前記底部材の装着用環状体の断熱容器本体外周に当接する底部材壁に上方より下方に向けて平行な二つの切り欠き溝を設けることにより形成され、かつ上端に外反係止爪が設けられ、前記装着用環状体に装着される食器ケースに、前記底部材の装着用環状体に配した舌状弾性部の係止爪の位置に合わせて、該係止爪に係止する係合部を形成し、該係合部が、食器用ケースの両端側にそれぞれ設けられていることを特徴とする。
本発明の保温容器は、底部材に配した装着用環状体には、水抜き孔を有する底板を配設したことを特徴とする。
本発明の保温容器は、底部材に配した装着用環状体の底部の内壁に係止突起を配設したことを特徴とする。
【０００７】
【作用】
この発明の保温容器にあっては、断熱容器本体の開口部外周に沿って配する肩部材と底部を被う底部材のそれぞれの周部に外方に突出して食器用ケース装着用環状体を配設し、そして底部の装着用環状体の断熱容器本体外周に当接する底部材壁に舌状弾性部を設けたことにより、食器ケースを断熱容器本体底部材に設けた装着用環状体に確実に取り付けられ、しかも着脱時に「パチッ」という音が生じて聴覚に訴えて嵌合感、離脱感を得ることができるようになる。又、上記底部材の装着用環状体の底に水抜き孔を設けた底板や係止突起を配設せしめたので、食器用ケースを確実に保持し得る。
【０００８】
【実施例】
以下図面を参照してこの発明を詳しく説明する。
図１は本発明の保温容器の断面図であり、図中符号１は保温容器である。この保温容器１は真空二重瓶よりなる断熱容器本体２とこの開口を被蓋する断熱蓋体３と箸などを収納する食器用ケース４から構成されている。
本発明の保温容器１は、断熱容器本体２の開口部外周部を被って合成樹脂よりなる肩部材５が無理ばめにより強制嵌合されており、また断熱容器本体２の底部には合成樹脂製の有底筒状の底筒状の底部材６が強制嵌合により取り付けられている。そして肩部材５の上側に天蓋を有する筒状の断熱蓋体３が断熱容器本体２の開口を被蓋するよう開閉自在に螺合され取り付けられている。
この保温容器１内には、例えば米飯、汁、惣菜等調理済食品を区分けして収容蓋付きの収納容器７，８，９，１０を収納し、その食品を適温で保温するものである。
【０００９】
このような保温容器１で本発明は断熱容器本体２の外周用の上下方向に位置して配置した前記肩部材５と底部材６とその周部に外方に突出する食器用ケース４を装着するための装着用環状体１１，１２そして前記肩部材５に設けた外方に突出する装着用環状体１１は図２の（Ａ）（Ｂ）（Ｃ）に図示した如く食器ケース４が挿通する貫通孔１１ａが形成されるよう断熱容器本体２に当接する一部の肩部材壁５ａと共用して一体成形されて外方に突出した環状壁１１ｂよりなっている。又底部材６に設けた装着用環状体１２は図１、図３に示す如く有底筒状の底部材６の側面周部に外方に向けて突出して食器ケース４の一端が嵌合する嵌合孔１２ａを形成するよう、断熱容器本体２に当接する一部の底部材壁６ａと共用して一体成形された環状壁１２ｂよりなっており、その底部には水抜孔１２ｃを配した底板１２ｄが設けられている。又、この底部材壁６ａには上方より下方に向けて切欠いた二本の平行な切欠部（肉抜き部）１３，１３´に挟まれて舌状弾性部１４を形成する。更にこの舌状弾性部１４の上端には外反する係止爪１４ａを設けている。
【００１０】
一方、食器用ケース４の底部面４ｂには図４に示す如く、この食器用ケース４が前記底部材６の装着用環状体１２の嵌合孔１２ａに差し込まれ装着された時、装着用環状体１２内に配設された舌状弾性部１４に位置して該係止爪１４ａに係合する突起または溝よりなる係合部４ｃが設けられている。
該係合部４ｃは、食器用ケースの底部面４ｂの長手方向の両端側にそれぞれ設けられている。このため、食器用ケース４をどちらかの両端から装着用環状体１１、１２に挿通しても、底部材６の装着用環状体１２で係止爪１４ａに係合部４ｃが係合されて好都合である。
【００１１】
以上のような構成からなる本発明の保温容器１にあっては、食器用ケース４を保温容器１に装着する場合、食器用ケース４をその底部面４ｂを容器本体２側に向けて肩部材５の装着用環状体１１の貫通孔１１ａに挿通して、その下端を更に底部材６の装着用環状体１２の嵌合孔１２ａに挿通すると底部材壁６ａに形成された舌状弾性部１４の先端に設けた係止爪１４ａに、食器用ケース４の底部面４ｂの係合部４ｃが係合し「パチッ」と係合を伝える音を出し、食器用ケース４は保温容器１の外壁に沿って確実に取り付けられ、保持される。
【００１２】
そして底部材６の装着用環状体１２は底板１２ｄが設けられているので食器用ケース４の下端部を被って支持することになり、食器用ケース４は下方に抜け落ちることがなく、衝突時などの外力によって食器用ケース４が不用意に開くことなく内部の箸などが散乱することがなく確実に収納保持される。
更に、底部材６の装着用環状体１２の底板１２ｄに水抜き１２ｃを設けたことにより、装着用環状体１２に塵埃が侵入したり、汚れたときは水洗いなどで容易に綺麗にし得、かつ充分な水切りをすることができる。
【００１３】
なお、食器用ケース４を断熱容器本体２から取り外すときは、肩部材５の装着用環状体１１の上方に突出して装着された食器用ケース４の上端を引っ張て抜けば良く、この前記底部材６の装着用環状体１２に設けた舌状弾性部材１４の係合爪１４ａから食器ケース４の底部面４ｂに設けた係合部４ｃが「パチッ」という音の発生とともに外れ以後容易に摺動して引き抜かれて食器用ケース４は取り外される。
【００１４】
又、前記した底部材６の装着用環状体１２に舌状弾性部１４を設けるため上下にのびる平行な切り欠き１３、１３´と底板１２ｄに設けた水抜き孔１２ｃは該底部材６の射出成形時金型に組み込み取り外しを可能にし、成形を確実に成し得る。
【００１５】
なお、上記実施例では保温容器の断熱容器本体として真空二重瓶を例示して説明したが、本発明は真空二重瓶の断熱容器で限定されるものではなく、発泡スチロールや発泡ウレタンなどの断熱材を使用した断熱容器でも勿論可能である。
又、上記実施例では、底部材の装着環状体１２に水抜き孔１２ｃを設けた底板１２ｄを配した場合について説明したが、本発明はこれに限定されるものではなく、底部材６の装着用環状体底板に代えて底端を縮径した貫通環状体として食器ケース４が脱落しないように、装着環状体１２の環状壁１２ｂの外装ケース側の内壁角部に係止突起（図示せず）を設けても同様な作用効果を奏することは勿論である。
【００１６】
【発明の効果】
以上説明したように、この発明の保温容器にあっては、断熱容器本体の上下方向に位置して配置した肩部材と底部材に食器用ケースを装着する装着用環状体係を突設し、更に前記底部材の装着用環状体に上下に平行に延びる二本の切欠きをこれに挟まれて係止爪を有する舌状弾性部を設けたことにより食器用ケースの係合突起と確実に嵌合し、「パチッ」という音の発生により心地よい嵌合感を得ることができるようになる。
【００１７】
又、舌状弾性部の両脇に上下延びる切欠きを配設したことにより舌状弾性部の弾性効果を高め食器用ケースの脱着を音により確認することができるようになり、食器用ケースの装着、脱離を確実に行うことができる。
【００１８】
又、底部材の装着用環状体の底端部を部分的に開口とすることにより水抜穴とすることができ、かつ食器用ケースを装着したときに下端部を支持可能となるため、下方に抜けでることがなく、又衝突などの外力を保護し得て、食器用ケースが破損することがなくなり、又食器用ケースが容器本体からはずれ、食器用ケースが不用意に開き内部の箸などが散乱する不都合を解消することができる。
【００１９】
更に、底部材の装着用環状体の底部に配した底板に水抜き孔を設けたことにより、底部材の装着部に塵埃が侵入しても水洗いなどで綺麗にすることができる。上記効果の他、更に底部材の装着用環状体に舌状弾性部を形成するため上下に平行な切欠部と底部面の水抜き孔や縮径開口は成形時に肉抜きとなり成形金型の組み合わせ、取り外しを可能にして再現性良く均質な底部材の製造が可能となり確実に食器用ケースを装着用環状体に嵌合される機能性に優れた保温容器が得られる。
【図面の簡単な説明】
【図１】図１は本発明の保温容器の一実施例を示す正面断面図である。
【図２】図２は図１に示す保温容器の肩部材を示し、（Ａ）は平面図、（Ｂ）は正面図、（Ｃ）は正面断面図である。
【図３】図３は図１に示す保温容器の底部材の要部拡大斜視図である。
【図４】図４は図１に示す保温容器の食器用ケースを示し、（Ａ）は裏面側斜視図、（Ｂ）は平面図である。
【符号の説明】
１……保温容器、２……断熱容器本体、３……蓋体、４……食器用ケース、５……肩部材、６……底部材、７，８，９，１０……収納容器、１１，１２……装着用環状体、１２ｃ……水抜孔、１３，１３′……切欠部、１４……舌状弾性部、１４ａ……係止爪。
【図１】
0003545044.tif 000002
【図２】
0003545044.tif 000003
【図３】
0003545044.tif 000004
【図４】
0003545044.tif 000005